(57)【要約】      （修正有）【課題】光ケーブルを個別に位置調整可能とし、作業時の余長処理のスペースを確保すると共に、運用時に於ける余長処理の省スペース化を図り、併せて光コネクタの接続作業性の向上を図ったパッチパネルを提供する。【解決手段】パッチパネル３１は、通信機器に取り付くパネル３５と、当該パネル３５上に複数のクランプ４１を装着して形成された光ケーブルの余長処理部４３と、前記パネル３５に設けた固定部３７に水平方向へスライド可能に取り付け、光ケーブル中継用の光コネクタ５７を複数装着したホルダ３９とからなる。そして、前記固定部３７は凸状に形成されて、ホルダ３９を水平方向にスライドさせる長孔形状のスリット４９、５１が形成され、当該スリット４９、５１に、前記ホルダ３９がネジ５５で締め付け固定されている。【選択図】図１
2008065141.tif 000002
【特許請求の範囲】
【請求項１】
通信機器に取り付くパネルと、
当該パネル上に複数のクランプを装着して形成された光ケーブルの余長処理部と、
前記パネルに設けた固定部に水平方向へスライド可能に取り付き、光ケーブル中継用の光コネクタを複数装着したホルダと、
からなることを特徴とするパッチパネル。
【請求項２】
前記固定部は凸状に形成されて、ホルダを水平方向にスライドさせる長孔形状のスリットが形成され、当該スリットに、前記ホルダがネジで締め付け固定されていることを特徴とする請求項１に記載のパッチパネル。
【請求項３】
前記ホルダは、複数の光コネクタが挿着された板状のホルダ本体と、
当該ホルダ本体の外周に取り付く帯状の表示板と、
当該ホルダ本体の下部に形成され、前記スリットにネジ止めされる支持部とで構成されていることを特徴とする請求項２に記載のパッチパネル。
【請求項４】
前記スリットは固定部に複数形成され、各スリットに、前記ホルダがネジで締め付け固定されていることを特徴とする請求項２または請求項３に記載のパッチパネル。
【請求項５】
前記固定部は、ヒンジ部材を介してパネルの前面側へ回転可能に形成されていることを特徴とする請求項１乃至請求項４のいずれか１項に記載のパッチパネル。
【請求項６】
前記ホルダは、任意の角度に回転調整可能に取り付けられていることを特徴とする請求項１乃至請求項５のいずれか１項に記載のパッチパネル。
【請求項７】
前記ホルダは、複数の光コネクタが挿着された板状のホルダ本体と、
当該ホルダ本体の外周に取り付く帯状の表示板と、
当該ホルダ本体の下部に形成され、円形の取付孔とこれに連通する座板挿入溝が設けられた支持部とからなり、
ホルダは、前記挿入溝に挿入可能な差込部が設けられた座板を介して固定部にネジ止めされ、
当該ネジの締め付けで、前記差込部が前記取付孔の内周に係止してホルダの回転が規制されると共に、
ネジを緩めることで、前記差込部と取付孔の内周との係止状態が解除されてホルダが回転自在に切り換わることを特徴とする請求項６に記載のパッチパネル。
【発明の詳細な説明】
【技術分野】
【０００１】
本発明は、通信機器に使用する光ケーブルの接続点である光コネクタを装着したパッチパネルに関する。
【背景技術】
【０００２】
昨今、通信機器に使用する光ケーブルは光コネクタの種類が多く、このため、例えば局舎内に於て、他の機器から光ケーブルを直接通信機器の光コネクタに接続できない事態が生じている。
また、光ケーブルが長い場合には余長処理をする必要がある。
そこで、斯かる実情に鑑み、光ケーブルの接続を目的として図１６乃至図２２に示すように中継用の光コネクタを複数装着したパッチパネルが開発されている。
【０００３】
図１６乃至図１８に示すパッチパネル１は、ユニット本体３と、その上部及び前面に夫々取り付くカバー５と光コネクタパネル７とで構成された筐体構造をなし、接続する通信機器を収容するラック内に、通信機器と収容領域を異にしてブラケット９で固定されている。
そして、ユニット本体３の前面にナイラッチ１１を介して取り付く複数の光コネクタパネル７に、中継用の光コネクタ１３が複数装着されており、ユニット本体３内には、コードリール１５を装着して余長処理部１７が設けられている。
【０００４】
そして、前面側から通信機器の光ケーブルを光コネクタ１３に接続し、背面側に外線の光ケーブル２１を接続するようになっている。
また、図１９乃至図２２に示すパッチパネル２３は、ユニット本体２５から、光コネクタ１３を装着した光コネクタパネル７が取り付くパッチパネル本体２７を前面側へスライド可能としたもので、パッチパネル本体２７にコードリール１５を装着して余長処理部２９が設けられている。
【０００５】
そして、このパッチパネル２３も、前記パッチパネル１と同様、接続する通信機器を収容するラック内に、通信機器と収容領域を異にしてブラケット９で固定されるようになっており、これらのパッチパネル１，２３によれば、光コネクタ１３を中継して通信機器の光ケーブルと外線の光ケーブル２１を接続することが可能で、内部に余長処理部１７，２９を設けたことで光ケーブル２１の長さ調整が可能であると共に、図１９のパッチパネル２３はパッチパネル本体２７を前面側へスライド可能としたことで、図１６のパッチパネル１に比し光ケーブル２１の接続や余長処理の作業性に優れた利点を有している。
【０００６】
また、特許文献１には、複数の光コネクタを固定した取付板を通信機器本体に取り付けた構造が開示されている。
【特許文献１】特開２００１−１１９１７７号公報
【発明の開示】
【発明が解決しようとする課題】
【０００７】
しかし乍ら、前記パッチパネル１，２３は、いずれも接続する通信機器近傍のラック内にこれらを収容する領域を必要とし、また、図１６のパッチパネル１は光コネクタ１３の位置が固定しているため、光ケーブルを個別に位置調整することができない欠点があった。
一方、図１９のパッチパネル２３は、ユニット本体２５からパッチパネル本体２７を前面側へスライド可能にした構造上、パッチパネル本体２７をスライドさせるために前面側に広いスペースを確保する必要があり、また、このパッチパネル２３は光コネクタ１３全体を可動させることができるものの、依然として光ケーブルを個別に位置調整することができない不具合が指摘されていた。
【０００８】
更にまた、特許文献１の従来例は、取付板を交換することで種類の異なる光コネクタに変更が可能であるが、光ケーブルの長さ調整をするために別に余長処理部が必要となっていた。
本発明は斯かる実情に鑑み案出されたもので、上述の如きパッチパネルに改良を加え、光ケーブルを個別に位置調整可能としたパッチパネルを提供することを第一の目的とする。
【０００９】
そして、本発明の第二の目的は、作業時の余長処理のスペースを確保すると共に、運用時に於ける余長処理の省スペース化を図り、併せて光コネクタの接続作業性の向上を図ったパッチパネルを提供することにある。
【課題を解決するための手段】
【００１０】
斯かる目的を達成するため、請求項１に係るパッチパネルは、通信機器に取り付くパネルと、当該パネル上に複数のクランプを装着して形成された光ケーブルの余長処理部と、前記パネルに設けた固定部に水平方向へスライド可能に取り付き、光ケーブル中継用の光コネクタを複数装着したホルダとからなることを特徴とする。
そして、請求項２に係る発明は、請求項１に記載のパッチパネルに於て、前記固定部は凸状に形成されて、ホルダを水平方向にスライドさせる長孔形状のスリットが形成され、当該スリットに、前記ホルダがネジで締め付け固定されていることを特徴とし、請求項３に係る発明は、請求項２に記載のパッチパネルに於て、前記ホルダは、複数の光コネクタが挿着された板状のホルダ本体と、当該ホルダ本体の外周に取り付く帯状の表示板と、
当該ホルダ本体の下部に形成され、前記スリットにネジ止めされる支持部とで構成されていることを特徴とする。
【００１１】
また、請求項４に係る発明は、請求項２または請求項３に記載のパッチパネルに於て、前記スリットは固定部に複数形成され、各スリットに、前記ホルダがネジで締め付け固定されていることを特徴とし、請求項５に係る発明は、請求項１乃至請求項４のいずれか１項に記載のパッチパネルに於て、前記固定部は、ヒンジ部材を介してパネルの前面側へ回転可能に形成されていることを特徴とする。
【００１２】
そして、請求項６に係る発明は、請求項１乃至請求項５のいずれか１項に記載のパッチパネルに於て、任意の角度に回転調整可能に取り付けられていることを特徴とし、請求項７に係る発明は、請求項６に記載のパッチパネルに於て、前記ホルダは、複数の光コネクタが挿着された板状のホルダ本体と、当該ホルダ本体の外周に取り付く帯状の表示板と、当該ホルダ本体の下部に形成され、円形の取付孔とこれに連通する座板挿入溝が設けられた支持部とからなり、ホルダは、前記挿入溝に挿入可能な差込部が設けられた座板を介して固定部にネジ止めされ、当該ネジの締め付けで、前記差込部が前記取付孔の内周に係止してホルダの回転が規制されると共に、ネジを緩めることで、前記差込部と取付孔の内周との係止状態が解除されてホルダが回転自在に切り換わることを特徴としている。
【発明の効果】
【００１３】
各請求項に係る発明によれば、パッチパネルが通信機器に一体的に取り付いているため、通信機器を収容するラックの同一領域内にパッチパネルを配置することができると共に、別途大きな余長処理スペースを必要としない利点を有する。
そして、ホルダを任意の位置に移動させることで光ケーブルの位置調整を個別にすることができる利点を有する。
【００１４】
また、請求項５に係る発明によれば、光ケーブルの接続，余長処理時に固定部を回転させることで余長処理部の作業スペースが広がり、また、接続完了後は、固定部を戻すことによって運用時に於ける省スペース化が図れる利点を有する。
更に、請求項６及び請求項７に係る発明によれば、ホルダが任意の角度に回転するため、接続作業のし易い位置（角度）に光コネクタを配置することができ、この結果、更に光ケーブルの接続と余長処理の作業性が向上する利点を有する。
【発明を実施するための最良の形態】
【００１５】
以下、本発明の実施形態を図面に基づいて詳細に説明する。
図１に於て、３１は請求項１乃至請求項４の一実施形態に係るパッチパネルを示し、このパッチパネル３１は、図２に示すように通信機器３３に取付部材（図示せず）を介して一体的に取り付く金属製のパネル３５と、当該パネル３５の固定部３７に取り付く２つの同一形状のホルダ３９と、パネル３５に複数のクランプ４１を挿着した余長処理部４３とで構成されている。
【００１６】
即ち、図１に示すようにパネル３５の前端側には、断面コ字状に折曲した凸状の固定部３７がパネル３５の全幅に亘って設けられており、当該固定部３７の前側角部４５と前面４７の左右２カ所に、夫々、長孔形状のスリット４９，５１が左右方向に形成されている。
また、パネル３５の強度を確保するため、固定部３７を除く左右の側縁部を下方へ折して補強片５３が設けられている。
【００１７】
そして、前記スリット５１に、ホルダ３９がつまみネジ５５で締め付け固定されている。
図３乃至図６に示すようにホルダ３９は、複数の光コネクタ５７（本実施形態では、総てＭＵコネクタ）が取付孔５９に挿着された板状のホルダ本体６１と、当該ホルダ本体６１の外周に取り付く正面視コ字状に形成された帯状の表示板６３と、ホルダ本体６１の下部に形成されて前記固定部３７にホルダ３９を支持する支持部６５とで構成されており、ホルダ本体６１には、左右２列で上下方向に８個の取付孔５９が等間隔に開口し、各取付孔５９に光コネクタ５７が挿着されている。
【００１８】
そして、図６の如くホルダ本体６１は断面コ字状に形成されており、図３乃至図５に示すようにホルダ本体６１の上方から前記表示板６３がその外周に被さって、ホルダ本体６１の左右のフランジ部６７に表示板６３がビス止めされている。そして、表示板６３の外周に、光コネクタ５７毎の照合番号や「ＩＮ」，「ＯＵＴ」等の表示ラベルが貼着できるようになっている。
【００１９】
また、図３及び図４に示すようにホルダ本体６１の下部は断面Ｌ字状に折曲して、前記固定部３７の外形形状に沿った断面略コ字状の支持部６５が設けられており、当該支持部６５を構成する一方の折曲片６９は前記スリット４９を挿通し、他方の折曲片７１は固定部３７の側部外周に当接するようになっている。
そして、前記折曲片６９につまみネジ５５のネジ孔（図示せず）が設けられており、当該折曲片６９をスリット４９に挿通させてホルダ３９を固定部３７上に配置したとき、前記スリット５１とこのネジ孔が一致するようになっている。
【００２０】
このため、スリット５１を挿通してネジ孔に螺着したつまみネジ５５を緩めると、スリット４９，５１に沿って各ホルダ３９がパッチパネル３１の左右へ水平方向にスライドし、そして、ホルダ３９を所定の位置にスライドさせてつまみネジ５５を締め付けると、ホルダ３９がその位置で固定されるようになっている。
更に、ホルダ３９のスライド領域を除くパネル３５に、光ケーブル（図示せず）のルート強制及び余長処理を行うクランプ４１の取付孔７３が設けられており、当該取付孔７３にクランプ４１を挿着して余長処理部４３が設けられている。
【００２１】
本実施形態に係るパッチパネル３１はこのように構成されているから、通信機器３３にパッチパネル３１を一体的に取り付けて、各ホルダ３９の光コネクタ５７を中継用の接続点として通信機器３３の光ケーブルと外線の光ケーブルを接続すると共に、各クランプ４１を用いて余長処理部４３で余長処理を行えばよい。
そして、既述したようにつまみネジ５５を緩めると、スリット４９，５１に沿って２つのホルダ３９が、夫々、パッチパネル３１の左右へ水平方向にスライドし、ホルダ３９を所定の位置にスライドさせてつまみネジ５５を締め付けると、ホルダ３９が夫々任意の位置で固定されるから、ホルダ３９を任意の位置に移動させることで、光ケーブルの接続と余長処理に当たり、光ケーブルの位置調整が個別に可能となる。
【００２２】
また、図２に示すようにパッチパネル３１は、通信機器３３に一体的に取り付いているため、通信機器３３を収容するラックの同一領域内にパッチパネル３１が配置されることとなる。
このように本実施形態によれば、通信機器３３に本実施形態のパッチパネル３１を具備することで、光ケーブルの接続と余長処理を一体として作業を実施することが可能であると共に、ホルダ３９を任意の位置に移動させることで光ケーブルの位置調整を個別にすることができる利点を有する。
【００２３】
そして、パッチパネル３１は通信機器３３に一体的に取り付いているため、通信機器３３を収容するラックの同一領域内に配置することができると共に、別途大きな余長処理スペースを必要としない利点を有する。
図７は請求項１乃至請求項５の一実施形態に係るパッチパネルを示し、本実施形態に係るパッチパネル７５は、通信機器３３に取付部材（図示せず）を介して一体的に取り付く金属製のパネル７７と、当該パネル７７の固定部７９に取り付く高さの異なる２種類のホルダ８１，８３と、パネル７７に複数のクランプ４１を挿着した余長処理部８５とで構成されている。そして、本実施形態は、前記固定部７９をヒンジ８７を介して前方へ回転可能にしたことを特徴とする。
【００２４】
以下、本実施形態を図面に基づいて説明するが、前記パッチパネル３１と同一のものは同一符号を以って表示する。
図７乃至図９に示すようにパネル７７の前端側には、パネル７７の全幅に亘って断面Ｌ字状に形成された固定部７９が、ヒンジ８７を介して前方（図９中、矢印Ｐ方向）へ回転可能に取り付けられており、図９の状態で固定部７９の上面９７はパネル７７と平行に配置されている。そして、固定部７９を前方に倒すと、固定部７９の前面８９の左右に挿着した受け部９１がラック（図示せず）の収容部に当接して固定部７９を支持するようになっている。
【００２５】
尚、このとき、ホルダ８１，８３がラック（図示せず）の収容部に当接することがないように、図９に示すようにホルダ８１，８３は固定部７９の前面８９より内方に位置している。
そして、固定部７９の角部９３と前面８９の３カ所に、夫々、長孔形状のスリット４９，５１が左右方向に形成されている。そして、左右の２つのスリット５１にホルダ８１がつまみネジ５５で締め付け固定されると共に、中央のスリット５１に、ホルダ８１より背の高いホルダ８３がつまみネジ５５で締め付け固定されている。
【００２６】
図９に示すようにホルダ８１は、複数の光コネクタ５７（本実施形態も総てＭＵコネクタ）が取付孔５９に挿着された板状のホルダ本体９３と、当該ホルダ本体９３の外周に取り付く正面視コ字状に形成された帯状の表示板９５と、ホルダ本体９３の下部に形成されて前記固定部７９の上面９７にホルダ８１を支持する支持部９９とで構成されており、取付孔５９はホルダ本体９５に上下２列に等間隔で４カ所に開口し、各取付孔５９に光コネクタ５７が挿着されている。
【００２７】
そして、図６のホルダ本体６１と同様、ホルダ本体９３は断面コ字状に形成され、図９に示すようにホルダ本体９３の上方から前記表示板９５がその外周に被さって、ホルダ本体９３の左右のフランジ部（図示せず）に表示板９５がビス１０１で固定されている。
尚、図１の実施形態と同様、表示板９５の外周には、光コネクタ５７毎の照合番号や「ＩＮ」，「ＯＵＴ」等の表示ラベルを貼着する。
【００２８】
また、ホルダ本体９３の下部は前記ホルダ本体６１と同様、断面Ｌ字状に折曲して固定部７９の外形形状に沿った断面略コ字状の支持部９９が設けられており、図７及び図９に示すように当該支持部９９を形成する一方の折曲片１０３は前記スリット４９を挿通し、他方の折曲片１０５は固定部７９の側部外周に当接するようになっている。
そして、前記折曲片１０３につまみネジ５５のネジ孔（図示せず）が設けられており、当該折曲片１０３をスリット４９に挿通させてホルダ８１を支持部９９を介して固定部７９上に配置したとき、前記スリット５１とこのネジ孔が一致するようになっている。
【００２９】
このため、スリット５１を挿通させてネジ孔に螺着したつまみネジ５５を緩めると、スリット４９，５１に沿ってホルダ８１がパッチパネル７５の左右へ水平方向にスライドし、ホルダ８１を所定の位置にスライドさせてつまみネジ５５を締め付けると、ホルダ８１がその位置で固定されるようになっている。
尚、前記ホルダ８１よりも背の高いホルダ８３は、前記ホルダ本体９３に代え、これよりも上下方向に長尺なホルダ本体９３-1を用いたもので、その他の構成はホルダ８１と同一であるため、それらの説明は省略する。そして、図９中、１０１-1はホルダ本体９３-1の左右のフランジ部（図示せず）に表示板９５を固定するビスを示している。
【００３０】
また、既述したように固定部７９は、ヒンジ８７を介して前方（図９中、矢印Ｐ方向）へ回転可能に取り付けられているが、図９の如く固定部７９がパネル７７上にセットされているとき、ヒンジ８７を固定部７９の前面８９に固着する取付ネジ１０６が、パネル７７に立設したストッパ１０７に螺着して固定部７９の矢印Ｐ方向への回転を規制している。そして、取付ネジ１０６を緩めてストッパ１０７との螺合状態を解除すると、固定部７９が矢印Ｐ方向へ倒れるようになっている。
【００３１】
そして、図９に示すようにパネル７７の表面から固定部７９の上面９７までの高さＨは、クランプ４１よりも高く設定されている。このため、図７に示すようにパネル７７に設けた取付孔７３にクランプ４１が挿着されて余長処理部８５が設けられているが、クランプ４１はホルダ８１，８３の直下にも挿着できる。
従って、図１の余長処理部４３と同一領域を有する余長処理部８５を確保するに当たり、ホルダ８１，８３の下方を利用できるため、前記パネル３５に比し奥行きの短いパネル７７を用いることができる。
【００３２】
本実施形態に係るパッチパネル７５はこのように構成されているから、通信機器３３にパッチパネル７５を一体的に取り付けて、各ホルダ８１，８３の光コネクタ５７を中継用の接続点とすればよく、通信機器３３の光ケーブルと外線の光ケーブルを接続するに当たり、取付ネジ１０６を緩めてストッパ１０７との螺合を解除すれば、図９に示すように固定部７９が矢印Ｐ方向へ倒れて余長処理部８５の作業スペースが広がる。
【００３３】
そして、光ケーブルの接続作業時につまみネジ５５を緩めれば、スリット４９，５１に沿って各ホルダ８１，８３が、夫々、パッチパネル７５の左右へ水平方向にスライドし、ホルダ８１，８３を所定の位置にスライドさせてつまみネジ５５を締め付ければ、ホルダ８１，８３が夫々任意の位置で固定されるため、これらを任意の位置に移動させることで光ケーブルを個別に位置調整することが可能となる。
【００３４】
また、接続完了後は、固定部７９を図９の状態に戻して取付ネジ１０５をストッパ１０７に締め付ければよく、図８に示すようにパッチパネル７５は通信機器３３に一体的に取り付いているため、通信機器３３を収容するラックの同一領域内に配置される。
このように本実施形態に係るパッチパネル７５も通信機器３３に一体的に取り付いているため、通信機器３３を収容するラックの同一領域内に配置することができ、また、各ホルダ８１，８３を任意の位置に移動させることで光ケーブルを個別に位置調整することができることは勿論、本実施形態は更に、ホルダ８１，８３が取り付く固定部７９を図９の矢印Ｐ方向へ回転可能に構成したので、光ケーブルの接続，余長処理時に固定部７９を矢印Ｐ方向へ倒すことで余長処理部８５の作業スペースが広がり、また、接続完了後は、固定部７９を図９の状態に戻すことによって、運用時に於ける省スペース化が図れる利点を有する。
【００３５】
図１０は請求項１乃至請求項４、請求項６及び請求項７の一実施形態に係るパッチパネルを示し、このパッチパネル１０９は、固定部１１１に取り付く複数のホルダ８１-1を、夫々、任意の角度に回転調整可能としたもので、以下、本実施形態を図面に基づいて説明するが、前記パッチパネル７５と同一のものは同一符号を以って表示する。
図１０に示すように固定部１１１は、断面コ字状に形成されてパネル７７の前端側に固着されている。そして、その前面１１３の複数カ所にスリット５１が左右方向に形成されると共に、各スリット５１に対応して固定部１１１の裏面側に、断面Ｌ字状の支持片１１５が取り付けられて後述する座板１１７の取付部１１９が設けられている。
【００３６】
而して、ホルダ８１-1は、図１１及び図１２に示すように既述したホルダ８１と支持部１２１の構造を異にし、支持部１２１はホルダ本体９３の下方を断面Ｌ字状に折曲し、更にこれを正面視Ｌ字状に折曲して形成されている。そして、支持部１２１の平面部１２３に、長さ寸法Ａを有する座板挿入溝１２５がホルダ本体９３と直交する方向に形成されると共に、これに連通する円形の取付孔１２７が設けられており、取付孔１２７の径φＢは、座板挿入溝１２５の長さ寸法Ａよりも小径（Ａ＞φＢ）とされている。
【００３７】
そして、前記座板挿入溝１２５と取付孔１２７に、座板１１７の差込部１２９が挿入されている。
図１３乃至図１５に示すように差込部１２９は、断面Ｌ字状に形成された座板１１７の一端側（上端側）を更に上方へ折曲して形成された正面視Ｔ字状をなし、差込部１２９の先端部１３１と基部１３３の長さ寸法ａ，ｂはａ＞ｂの関係に設定され、そして、既述した座板挿入溝１２５の長さ寸法Ａと取付孔１２７の径φＢとの関係は、Ａ＞ａ＞φＢ＞ｂに設定されている。
【００３８】
また、座板１１７の他端側の折曲片１３５は前記取付部１１９内に遊嵌して、前記スリット５１に一致するつまみネジ５５のネジ孔１３７が設けられている。
従って、座板１１７の折曲片１３５を取付部１１９内に遊嵌し、前記座板挿入溝１２５に座板１１７の差込部１２９の先端部１３１を挿入してつまみネジ５５を締め付けると、座板１１７が固定部１１１の裏面側へスライドし、この結果、取付孔１２７の内周に基部１３３が係止してホルダ８１-1が固定されるようになっている。そして、差込部１２９の先端部１３１の長さ寸法ａは取付孔１２７の径φＢよりも大きいため、ホルダ８１-1が座板１１７から外れずに固定される。
【００３９】
また、つまみネジ５５を緩めると、座板１１７が開放されて、ホルダ８１-1が、取付孔１２７に挿入した座板１１７の差込部１２９を支点として回転するようになっている。
本実施形態はこのように構成されているから、通信機器３３にパッチパネル１０９を一体的に取り付けて、これをラックの同一領域に収容して各ホルダ８１-1の光コネクタ５７を中継用の接続点とすればよく、光ケーブルの接続に当たり、つまみネジ５５を緩めると、ホルダ８１-1が取付孔１２７に挿入した座板１１７の差込部１２９を支点として任意の角度に回転するため、接続作業のし易い位置（角度）に光コネクタ５７を配置することができる。
【００４０】
従って、本実施形態によれば、既述したパッチパネル３１の作用効果に加え、更に光ケーブルの接続と余長処理の作業性が向上する利点を有する。
尚、本実施形態の回転調整可能なホルダ８１-1の構造を、図７の固定部７９に適用することも可能で、斯かる構造によれば、前記パッチパネル７５の作用効果と併せて更に作業性に優れた利点を有する。
【図面の簡単な説明】
【００４１】
【図１】請求項１乃至請求項４の一実施形態に係るパッチパネルの全体斜視図である。
【図２】通信機器とこれに取り付くパッチパネルの全体斜視図である。
【図３】ホルダの正面図である。
【図４】ホルダの側面図である。
【図５】ホルダの平面図である。
【図６】ホルダの底面図である。
【図７】請求項１乃至請求項５の一実施形態に係るパッチパネルの全体斜視図である。
【図８】通信機器とこれに取り付くパッチパネルの全体斜視図である。
【図９】パネルに取り付くホルダの正面図である。
【図１０】請求項１乃至請求項４、請求項６及び請求項７の一実施形態に係るパッチパネルの側面図である。
【図１１】ホルダの正面図である。
【図１２】支持部の平面図である。
【図１３】座板の正面図である。
【図１４】座板の平面図である。
【図１５】座板の側面図である。
【図１６】従来のパッチパネルの平面図である。
【図１７】パッチパネルの側面図である。
【図１８】パッチパネルの正面図である。
【図１９】従来の他のパッチパネルの平面図である。
【図２０】パッチパネルの側面図である。
【図２１】パッチパネルの正面図である。
【図２２】パッチパネル本体を引き出したパッチパネルの平面図である。
【符号の説明】
【００４２】
３１，７５，１０９  パッチパネル
３３  通信機器
３５，７７  パネル
３７，７９，１１１  固定部
３９，８１，８１-1，８３  ホルダ
４１  クランプ
４３，８５  余長処理部
４９，５１  スリット
５５  つまみネジ
５７  光コネクタ
６１，９３  ホルダ本体
６３，９５  表示板
６５，９９，１２１  支持部
６９，７１，１０３，１０５，１３５  折曲片
８７  ヒンジ
９１  受け部
１０５  取付ネジ
１０７  ストッパ
１１５  支持片
１１７  座板
１１９  取付部
１２５  座板挿入溝
１２７  取付孔
１２９  差込部
１３７  ネジ孔
【図１】
2008065141.tif 000003
【図２】
2008065141.tif 000004
【図３】
2008065141.tif 000005
【図４】
2008065141.tif 000006
【図５】
2008065141.tif 000007
【図６】
2008065141.tif 000008
【図７】
2008065141.tif 000009
【図８】
2008065141.tif 000010
【図９】
2008065141.tif 000011
【図１０】
2008065141.tif 000012
【図１１】
2008065141.tif 000013
【図１２】
2008065141.tif 000014
【図１３】
2008065141.tif 000015
【図１４】
2008065141.tif 000016
【図１５】
2008065141.tif 000017
【図１６】
2008065141.tif 000018
【図１７】
2008065141.tif 000019
【図１８】
2008065141.tif 000020
【図１９】
2008065141.tif 000021
【図２０】
2008065141.tif 000022
【図２１】
2008065141.tif 000023
【図２２】
2008065141.tif 000024